(57)【要約】 【課題】医用画像の表示サイズの変更による読影効率の低下を防ぐ。【解決手段】画像ビューワ端末４０の制御部４１は、画像ビューワプログラム４５１と協働して、操作部４２からの操作信号に基づいて、表示画像拡大処理を行い、表示部４３の表示枠に表示されている医用画像の表示サイズを拡大（又は縮小）する。そして、制御部４１は、設定した表示サイズと枠サイズとを比較する。比較の結果、表示サイズが枠サイズ以上である場合、制御部４１は、医用画像の全体像を表すナビゲーションマップを表示させる。【選択図】図２
2011067389.tif 000002
【特許請求の範囲】
【請求項１】
医用画像を表示する表示手段と、
前記表示手段に表示される医用画像の表示サイズを設定し、前記表示手段における枠サイズと前記医用画像の表示サイズとを比較し、当該比較結果に応じて前記医用画像の全体像を前記表示手段に表示させる制御手段と、
を備える医用画像表示装置。
【請求項２】
前記制御手段は、前記医用画像の全体像内に、前記表示手段に表示されている医用画像の位置情報を更に表示させる、
請求項１に記載の医用画像表示装置。
【請求項３】
前記医用画像の表示サイズを設定する旨の操作を受け付ける操作手段と、
前記制御手段は、前記操作手段からの操作信号に基づいて、前記表示手段に表示される医用画像の表示サイズを設定する、
請求項１又は２に記載の医用画像表示装置。
【請求項４】
前記制御手段は、前記表示サイズが前記枠サイズより大きいと判定した場合、又は、前記表示サイズが前記枠サイズ以上であると判定した場合、前記医用画像の全体像を前記表示手段に表示させる、
請求項１〜３の何れか一項に記載の医用画像表示装置。
【請求項５】
前記制御手段は、前記設定された表示サイズでのピクセルサイズが前記表示手段におけるピクセルサイズより大きいと判定した場合、その旨の警告情報を前記表示手段に表示させる、
請求項１〜４の何れか一項に記載の医用画像表示装置。
【請求項６】
前記医用画像は、乳房画像である、
請求項１〜５の何れか一項に記載の医用画像表示装置。
【請求項７】
コンピュータを、
医用画像を表示する表示手段、
前記表示手段に表示される医用画像の表示サイズを設定し、前記表示手段における枠サイズと前記医用画像の表示サイズとを比較し、当該比較結果に応じて前記医用画像の全体像を前記表示手段に表示させる制御手段、
として機能させるためのプログラム。
【発明の詳細な説明】
【技術分野】
【０００１】
本発明は、医用画像表示装置及びプログラムに関する。
【背景技術】
【０００２】
病院や診療所等の医療施設では、乳房画像撮影装置（マンモグラフィ）等の医用画像撮影装置（モダリティ）を用いて患者の撮影が行われ、医用画像（医用画像データ）が生成される。そして、この医用画像に患者情報や検査情報等を含む付帯情報が付帯され、ＤＩＣＯＭ（Digital Imaging and Communication in Medicine）規格に準拠したＤＩＣＯＭ画像データが生成される。ＤＩＣＯＭとは、医用画像の通信及び保存フォーマットに関する標準規格であり、この規格に準拠することで、異なる医療機器間での相互通信性が確保される。
【０００３】
生成されたＤＩＣＯＭ画像データは、ＰＡＣＳ（Picture Archiving and Communication System）と呼ばれる医用画像管理システム（医用画像管理装置）に送信され、このＰＡＣＳにて記憶され管理される（ＰＡＣＳに登録される）。そして、読影医は、画像ビューワ端末等において、これらのＤＩＣＯＭ画像データに基づいた医用画像や付帯情報を閲覧する。
【０００４】
医用画像を閲覧するための医用画像表示装置（画像ビューワ端末）として、例えば、一方のモニタにインデックス用の多数枚の画像を縮小して表示すると共に、他方のモニタには、診断用の拡大画像を順次スクロールしながら表示可能なものが開示されている（特許文献１参照）。
【０００５】
ところで、マンモグラフィにより撮影された乳房画像は、ＣＴ装置等の他の種類のモダリティにより撮影された医用画像に比べて、画素数が多く情報量が多い。そのため、画像ビューワ端末を構成するモニタにおける画像表示枠にフィットさせる形で乳房画像を表示させていても、この画像を拡大して、画像のピクセルサイズがモニタのピクセルサイズになるまでは乳房画像自身が持つ情報を発揮させることができる。よって、乳房画像の読影時において、乳房画像が拡大表示されるケースが多い。
【先行技術文献】
【特許文献】
【０００６】
【特許文献１】特開昭６２−２０５４７７号公報
【発明の概要】
【発明が解決しようとする課題】
【０００７】
しかし、乳房画像の表示サイズが拡大されればされるほど、乳房画像のどの部分を読影しているか把握することが困難になる。そのため、読影位置を確認する場合等に乳房画像を再度縮小する等の手間がかかり、読影効率が低下してしまった。
【０００８】
本発明は、上述したような課題に鑑みて為されたものであり、その目的とするところは、医用画像の表示サイズの変更による読影効率の低下を防ぐことである。
【課題を解決するための手段】
【０００９】
上記の課題を解決するために、請求項１に記載の医用画像表示装置は、
医用画像を表示する表示手段と、
前記表示手段に表示される医用画像の表示サイズを設定し、前記表示手段における枠サイズと前記医用画像の表示サイズとを比較し、当該比較結果に応じて前記医用画像の全体像を前記表示手段に表示させる制御手段と、
を備える。
【００１０】
請求項２に記載の発明は、請求項１に記載の発明において、
前記制御手段は、前記医用画像の全体像内に、前記表示手段に表示されている医用画像の位置情報を更に表示させる。
【００１１】
請求項３に記載の発明は、請求項１又は２に記載の発明において、
前記医用画像の表示サイズを設定する旨の操作を受け付ける操作手段と、
前記制御手段は、前記操作手段からの操作信号に基づいて、前記表示手段に表示される医用画像の表示サイズを設定する。
【００１２】
請求項４に記載の発明は、請求項１〜３の何れか一項に記載の発明において、
前記制御手段は、前記表示サイズが前記枠サイズより大きいと判定した場合、又は、前記表示サイズが前記枠サイズ以上であると判定した場合、前記医用画像の全体像を前記表示手段に表示させる。
【００１３】
請求項５に記載の発明は、請求項１〜４の何れか一項に記載の発明において、
前記制御手段は、前記設定された表示サイズでのピクセルサイズが前記表示手段におけるピクセルサイズより大きいと判定した場合、その旨の警告情報を前記表示手段に表示させる。
【００１４】
請求項６に記載の発明は、請求項１〜５の何れか一項に記載の発明において、
前記医用画像は、乳房画像である。
【００１５】
請求項７に記載のプログラムは、
コンピュータを、
医用画像を表示する表示手段、
前記表示手段に表示される医用画像の表示サイズを設定し、前記表示手段における枠サイズと前記医用画像の表示サイズとを比較し、当該比較結果に応じて前記医用画像の全体像を前記表示手段に表示させる制御手段、
として機能させる。
【発明の効果】
【００１６】
請求項１、７に記載の発明によれば、制御手段は、表示手段に表示される医用画像の表示サイズを設定し、前記表示手段における枠サイズと前記医用画像の表示サイズとを比較し、当該比較結果に応じて前記医用画像の全体像を前記表示手段に表示させる。
【００１７】
そのため、ユーザは、医用画像のどの部分を読影しているか把握することができる。よって、医用画像の表示サイズの変更による読影効率の低下を防ぐことができる。
【００１８】
請求項２に記載の発明によれば、前記制御手段は、前記医用画像の全体像内に、前記表示手段に表示されている医用画像の位置情報を更に表示させる。
【００１９】
そのため、ユーザは、医用画像のどの部分を読影しているか、更に把握することができる。
【００２０】
請求項３に記載の発明によれば、医用画像の表示サイズの変更による読影効率の低下を防ぐことができる。
【００２１】
請求項４に記載の発明によれば、医用画像の表示サイズの変更による読影効率の低下を防ぐことができる。
【００２２】
請求項５に記載の発明によれば、制御手段は、設定された表示サイズでのピクセルサイズが前記表示手段におけるピクセルサイズより大きいと判定した場合、その旨の警告情報を前記表示手段に表示させる。
【００２３】
そのため、ユーザは、設定された表示サイズでのピクセルサイズが前記表示手段におけるピクセルサイズより大きいことを容易に知ることができる。
【００２４】
請求項６に記載の発明によれば、乳房画像の表示サイズの変更による読影効率の低下を防ぐことができる。
【図面の簡単な説明】
【００２５】
【図１】医用画像システムのシステム構成図である。
【図２】画像ビューワ端末のブロック図である。
【図３】医用画像表示処理における画像拡大時の処理のフローチャートである。
【図４】表示画像拡大処理のフローチャートである。
【図５】枠サイズ以上に表示サイズを拡大した場合の画面例である。
【図６】医用画像を拡大表示した場合のナビゲーションマップ表示例である。
【図７】医用画像の表示箇所を変更した場合のナビゲーションマップ表示例である。
【図８】警告情報の表示例である。
【発明を実施するための形態】
【００２６】
以下、本発明の医用画像表示装置を図１の画像ビューワ端末４０に適用した場合の実施形態について図１〜図８を参照して説明する。
【００２７】
[医用画像システムのシステム構成]
先ず、画像ビューワ端末４０を有する医用画像システム１００の概要について図１を用いて説明する。
【００２８】
図１は、医用画像システム１００のシステム構成の一例を示すブロック図である。図１によれば、医用画像システム１００は、ＲＩＳ１０と、モダリティ２０と、ＰＡＣＳ３０と、画像ビューワ端末４０と、から構成されている。上記の各装置はＬＡＮ（Local Area Network）等の通信ネットワークＮを介してデータ通信可能に接続されている。
【００２９】
ＲＩＳ１０は、放射線科部門内における診療予約、診断結果のレポート、実績管理、材料在庫管理等の情報管理を行う。ＲＩＳ１０は、図示しない電子カルテシステム等において生成された撮影オーダ情報をモダリティ２０に送信する。
【００３０】
モダリティ２０は、ＲＩＳ１０から受信した撮影オーダ情報に従って、患者を撮影し、医用画像の画像データを生成する医用画像撮影装置である。また、モダリティ２０は、前記撮影オーダ情報に基づいて、前記画像データに関する付帯情報を生成する。付帯情報には、例えば、撮影モダリティ名、患者名、患者ＩＤ、検査ＩＤ、検査日、検査部位、画像番号等が含まれる。そして、モダリティ２０は、前記画像データに当該付帯情報を付帯させて、ＤＩＣＯＭ規格に則ったＤＩＣＯＭ画像データを生成し、ＰＡＣＳ３０に送信する。モダリティ２０としては、主に、乳房画像撮影装置（マンモグラフィ）が適用可能であるが、ＣＲ装置、ＣＴ装置、ＭＲＩ装置等、様々な種類の医用画像を撮影する撮影装置（医用画像撮影装置）を適用してもよい。以下の説明において、医用画像はマンモグラフィにより撮影された乳房画像であるとする。
【００３１】
ＰＡＣＳ３０は、モダリティ２０において生成されたＤＩＣＯＭ画像データを保存管理し、検索やデータ解析を行うデータベースシステムである。ＰＡＣＳ３０は、モダリティ２０から受信したＤＩＣＯＭ画像データに含まれる付帯情報に基づいて当該ＤＩＣＯＭ画像データを、例えば、リレーショナルデータベースに蓄積記憶していく。そして、ＰＡＣＳ３０は、読影医等の操作指示に応じて指定された患者ＩＤや検査ＩＤ等を検索キーとしてＤＩＣＯＭ画像データを検索し、画像ビューワ端末４０やイメージャに出力する。ＰＡＣＳ３０は、患者ＩＤや検査ＩＤ等の検索キーを含むＤＩＣＯＭ画像データ取得要求を外部機器から受信すると、この取得要求に応じたＤＩＣＯＭ画像データを検索して外部機器に提供（送信）する。
【００３２】
画像ビューワ端末４０は、医用画像を表示するビューワ機能を有しており、読影医等の読影に供する端末である。画像ビューワ端末４０は、ＤＩＣＯＭ画像データ取得要求をＰＡＣＳ３０に送信し、ＰＡＣＳ３０から取得要求に応じたＤＩＣＯＭ画像データを取得する。そして、画像ビューワ端末４０は、取得したＤＩＣＯＭ画像データを表示する。
【００３３】
[画像ビューワ端末の機能的構成]
図２に、画像ビューワ端末４０の機能的構成を示す。
【００３４】
図２に示すように、画像ビューワ端末４０は、制御部４１、操作部４２、表示部４３、通信部４４、記憶部４５を備えて構成され、各部はバス４６により接続されている。
【００３５】
制御部４１は、ＣＰＵ（Central Processing Unit）、ＲＡＭ（Random Access Memory）等から構成され、画像ビューワ端末４０の各部の処理動作を統括的に制御する。具体的には、ＣＰＵは、操作部４２から入力される操作信号又は通信部４４により受信される指示信号に応じて、記憶部４５に記憶されている各種処理プログラムを読み出し、ＲＡＭ内に形成されたワークエリアに展開し、当該プログラムとの協働により各種処理を行う。
【００３６】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００３７】
表示部４３は、ＬＣＤ（Liquid Crystal Display）のモニタにより構成され、制御部４１から入力される表示データに基づいて各種画面を表示する。
【００３８】
通信部４４は、ＬＡＮ（Local Area Network）アダプタ、ルータ、ＴＡ（Terminal Adapter）等を備え、通信ネットワークＮを介して接続されたＰＡＣＳ３０等の外部機器との間でデータの送受信を行う。
【００３９】
記憶部４５は、ハードディスク等から構成され、制御プログラム、当該プログラムの実行に必要なパラメータやファイル等を記憶している。
【００４０】
また、記憶部４５は、ＤＩＣＯＭ画像データを表示するためのプログラムである画像ビューワプログラム４５１を記憶する。制御部４１は、画像ビューワプログラム４５１と協働して医用画像表示処理を行う。医用画像表示処理とは、制御部４１が、ＤＩＣＯＭ画像データに基づいて、医用画像やこの医用画像に関する付帯情報を表示部４３に表示する処理である。具体的に、制御部４１は、表示部４３に医用画像の表示領域である表示枠を表示させ、この表示枠内に医用画像を表示させる。また、制御部４１は、表示枠内、及び／又は表示枠外に医用画像に関する付帯情報を表示させる。
【００４１】
また、この医用画像表示処理において、制御部４１は、ユーザ操作による操作部４２からの操作信号に基づいて、表示部４３に表示される医用画像を拡大したり、縮小したりする。
【００４２】
[医用画像表示処理における画像拡大時の処理]
次に、医用画像表示処理において、ユーザ操作による制御部４２からの、画像を拡大する旨の操作信号が入力された場合に、制御部４１が行う処理について、図３を用いて説明する。
【００４３】
まず、読影医は、読影対象となる医用画像をＰＡＣＳ３０から取得する旨のユーザ操作を画像ビューワ端末４０の操作部４２に対して行う。制御部４１は、操作部４２からの操作信号に基づいて、ＤＩＣＯＭ画像データ取得要求を生成し、通信部４４を介してＰＡＣＳ３０に送信する。ＰＡＣＳ３０は、読影対象となるＤＩＣＯＭ画像データを画像ビューワ端末４０に送信する。
【００４４】
画像ビューワ端末４０の制御部４１は、ＰＡＣＳ３０からＤＩＣＯＭ画像データを通信部４４を介して取得する。制御部４１は、ＤＩＣＯＭ画像データに含まれる画像データに基づいて、表示部４３に医用画像を表示させる。
【００４５】
読影医は、表示部４３に表示された医用画像を拡大（又は縮小）する旨のユーザ操作を操作部４２に対して行う。
【００４６】
制御部４１は、表示部４３から操作信号を受け付けると、表示画像拡大処理を行う（ステップＳ１）。ここで、表示画像拡大処理とは、表示部４３の表示枠に表示されている医用画像の表示サイズを拡大（又は縮小）する処理である。即ち、表示サイズを設定する処理である。
【００４７】
制御部４１は、表示画像拡大処理を終えると、現在の拡大率を取得する（ステップＳ２）。そして、制御部４１は、拡大率に基づいて、医用画像の表示サイズを算出する。
【００４８】
制御部４１は、算出した表示サイズと枠サイズとを比較する（ステップＳ３）。ここで、枠サイズとは、表示部４３のモニタ内の医用画像の表示領域である表示枠のサイズである。
【００４９】
表示サイズが枠サイズより小さい場合（ステップＳ４；ＮＯ）、制御部４１は、ナビゲーションマップを表示部４３に表示させずに、処理を終了する。ここで、ナビゲーションマップとは、医用画像の全体像を表示する画像である。
【００５０】
一方、表示サイズが枠サイズ以上である場合（ステップＳ４；ＹＥＳ）、制御部４１は、表示部４３に医用画像と共に、ナビゲーションマップを表示させる（ステップＳ５）。
【００５１】
そして、制御部４１は、ナビゲーションマップにマップ枠を表示（描画）するように、表示部４３を制御する（ステップＳ６）。ここで、マップ枠とは、表示部４３の表示領域に表示されている医用画像が、医用画像全体のどの部分のものかを示す枠である。具体的な動作として、制御部４１は、表示部４３の表示領域に表示されている医用画像が、医用画像全体のどの部分のものかを解析し、位置情報を取得する。制御部４１は、取得した位置情報に基づいて、マップ枠をナビゲーションマップ上に描画する。
【００５２】
次に、制御部４１は、ステップＳ２において取得した拡大率から算出した表示サイズでのピクセルサイズと、表示部４３のモニタのピクセルサイズとを比較する（ステップＳ７）。
【００５３】
表示サイズでのピクセルサイズがモニタのピクセルサイズより小さい場合（ステップＳ８；ＮＯ）、制御部４１は、処理を終了する。
【００５４】
一方、表示サイズでのピクセルサイズがモニタのピクセルサイズ以上である場合（ステップＳ８；ＹＥＳ）、制御部４１は、その旨の警告情報を表示部４３に表示させる。具体的に、制御部４１は、ステップＳ３で描画したマップ枠（又はナビゲーションマップ）を表示部４３に強調表示させる（ステップＳ９）。以上で、制御部４１は、処理を終了する。
【００５５】
[表示画像拡大処理]
次に、制御部４１が行う表示画像拡大処理（図３のステップＳ１）について、図４を用いて説明する。ここでは、医用画像を拡大（又は縮小）する旨のユーザ操作は、表示部４３に表示されている医用画像上にカーソルを合わせ、マウスを移動させる操作であるとして説明する。
【００５６】
まず、制御部４１は、表示画像拡大処理における医用画像の表示サイズの拡大（又は縮小）前の拡大率を取得（算出）する（ステップＳ１０１）。
【００５７】
制御部４１は、操作部４２からの操作信号に基づいて、マウスの移動量を取得する（ステップＳ１０２）。
【００５８】
そして、制御部４１は、マウスの移動量に基づいて、新たに拡大（又は縮小）する拡大率を算出する（ステップＳ１０３）。
【００５９】
制御部４１は、算出した拡大率に基づいて、表示部４３の表示領域に表示させる医用画像の表示サイズを変更する。即ち、制御部４１は、医用画像を拡大（又は縮小）して描画する（ステップＳ１０４）。以上で、制御部４１は、表示画像拡大処理を終了する。
【００６０】
[画面例]
図５〜図８に、制御部４１が表示部４３に表示する画面例を示す。
【００６１】
図５は、医用画像表示処理において、ユーザ操作により、医用画像の表示サイズが枠サイズ以上に拡大された場合の画面例である。図５に示すように、表示枠ｄ１の枠サイズより小さい表示サイズで医用画像ｄ２が表示されている場合は、ナビゲーションマップは表示されない。一方、表示枠ｄ１の枠サイズ以上の表示サイズで医用画像ｄ２が表示されている場合は、ナビゲーションマップｄ３が表示される。
【００６２】
図６は、医用画像表示処理において、ユーザ操作により、表示枠ｄ１の枠サイズ以上の医用画像の表示サイズが、更に拡大された場合の画面例である。図６に示すように、医用画像の表示サイズが拡大されると、ナビゲーションマップｄ３内に描画されているマップ枠ｄ４が縮小する。逆に、医用画像の表示サイズが縮小されると、ナビゲーションマップｄ３内に描画されているマップ枠ｄ４が拡大する。
【００６３】
図７は、医用画像表示処理において、ユーザ操作により、表示枠ｄ１の枠サイズ以上の表示サイズで表示されている医用画像の表示箇所を変更した場合の画面例である。図７に示すように、医用画像の表示箇所が変更されると、ナビゲーションマップｄ３内に描画されているマップ枠ｄ４の表示箇所も変更される。
【００６４】
具体的に、制御部４１は、医用画像の表示箇所を変更する旨の操作部４２からの操作信号が入力されると、表示部４３の表示領域に表示されている医用画像が、医用画像全体のどの部分のものかを解析し、位置情報を取得する。そして、制御部４１は、取得した位置情報に基づいて、ナビゲーションマップｄ３上のマップ枠ｄ４を更新する。
【００６５】
図８は、医用画像表示処理において、ユーザ操作により、医用画像の表示サイズのピクセルサイズを、モニタのピクセルサイズ以上にした場合の画面例である。図８に示すように、マップ枠ｄ４が強調して表示される。ナビゲーションマップｄ３を強調して表示することにより、医用画像の表示サイズのピクセルサイズが、モニタのピクセルサイズ以上であることをユーザに知らせる。即ち、警告情報が表示されることになる。尚、ナビゲーションマップｄ３を強調表示する代わりに、マップ枠ｄ４を強調表示してもよい（図３のステップＳ９に対応）。
【００６６】
以上、本実施形態によれば、画像ビューワ端末４０の制御部４１は、操作部４２からの操作信号に基づいて、表示画像拡大処理を行い、表示部４３の表示枠に表示されている医用画像の表示サイズを拡大（又は縮小）する。そして、制御部４１は、設定した表示サイズと枠サイズとを比較する。比較の結果、表示サイズが枠サイズ以上である場合、制御部４１は、医用画像の全体像を表すナビゲーションマップを表示させる。そして、制御部４１は、ナビゲーションマップ上にマップ枠を表示させる。
【００６７】
そのため、ユーザは、医用画像のどの部分を読影しているか把握することができる。よって、医用画像の表示サイズの変更による読影効率の低下を防ぐことができる。
【００６８】
また、制御部４１は、設定した表示サイズでのピクセルサイズと、表示部４３のモニタのピクセルサイズとを比較する。比較の結果、表示サイズでのピクセルサイズがモニタのピクセルサイズ以上である場合、制御部４１は、その旨の警告情報を表示部４３に表示させる。
【００６９】
そのため、ユーザは、設定された表示サイズでのピクセルサイズが前記表示手段におけるピクセルサイズより大きいことを容易に知ることができる。
【００７０】
尚、本実施形態における記述は、本発明に係る医用画像表示装置の一例であり、これに限定されるものではない。システム及び各装置の細部構成及び細部動作に関しても適宜変更可能である。
【００７１】
例えば、図３のステップＳ４において、制御部４１は、ナビテーションマップを表示部４３に表示させる条件として、「表示サイズが枠サイズ以上である」としたが、「表示サイズが枠サイズより大きい」としてもよい。同様に、制御部４１は、ナビゲーションマップを表示部４３に表示させない条件として、「表示サイズが枠サイズより小さい」としたが、「表示サイズが枠サイズ以下である」としてもよい。
【００７２】
また、図３のステップＳ８において、制御部４１は、マップ枠（又はナビゲーションマップ）を強調させる条件として、「表示サイズでのピクセルサイズがモニタのピクセルサイズ以上である」としたが、「表示サイズでのピクセルサイズがモニタのピクセルサイズより大きい」としてもよい。同様に、制御部４１は、マップ枠（又はナビゲーションマップ）を強調させない条件として、「表示サイズでのピクセルサイズがモニタのピクセルサイズより小さい」としたが、「表示サイズでのピクセルサイズがモニタのピクセルサイズ以下である」としてもよい。
【００７３】
また、本実施形態では、プログラムを格納したコンピュータ読み取り可能な媒体としてハードディスクを使用した例を開示したが、この例に限定されない。その他のコンピュータ読み取り可能な媒体として、ＣＤ−ＲＯＭ等の可搬型記憶媒体、フラッシュメモリ等の不揮発性メモリ等を適用することが可能である。また、プログラムのデータを通信回線を介して提供する媒体として、キャリアウェーブ（搬送波）も適用可能である。
【符号の説明】
【００７４】
１０      ＲＩＳ
２０      モダリティ
３０      ＰＡＣＳ
４０      画像ビューワ端末
４１      制御部
４２      操作部
４３      表示部
４４      通信部
４５      記憶部
４６      バス
１００    医用画像システム
４５１    画像ビューワプログラム
Ｎ        通信ネットワーク
【図１】
2011067389.tif 000003
【図２】
2011067389.tif 000004
【図３】
2011067389.tif 000005
【図４】
2011067389.tif 000006
【図５】
2011067389.tif 000007
【図６】
2011067389.tif 000008
【図７】
2011067389.tif 000009
【図８】
2011067389.tif 000010